(57)【要約】【課題】地域情報の取得操作を省くこと。【解決手段】受信部１１１がラジオ放送の電波を受信すると、ＤＳＰ１１３が受信部１１１が受信した信号を元に、選局、検波及びステレオ復調を行う。また、Ｄ／Ａ変換部１１４がＤＳＰ１１３からのステレオ復調されたデジタル信号をアナログの音声信号に変換すると、音声認識部１１５がＤ／Ａ変換部１１４からの音声信号に基づき、音声認識を行う。また、地域情報取得部１１７が地域情報管理テーブル１１６を参照し、音声認識部１１５からの認識データに含まれる地域情報を取得すると、表示部１１８が地域情報取得部１１７の取得した地域情報を表示する。【選択図】図２
2017079436.tif 000002
【特許請求の範囲】
【請求項１】
ラジオ放送の電波を受信する受信部と、
前記受信部が受信した信号を元に、選局、検波及びステレオ復調を行うＤＳＰと、
前記ＤＳＰからのステレオ復調されたデジタル信号をアナログの音声信号に変換するＤ／Ａ変換部と、
前記Ｄ／Ａ変換部からの音声信号に基づき、音声認識を行う音声認識部と、
前記音声認識部からの認識データに含まれる地域情報を取得する地域情報取得部と、
前記地域情報取得部が取得した地域情報を表示する表示部とを備える
ことを特徴とする情報提供装置。
【請求項２】
前記受信部が受信した電波をデジタル信号に変換するＡ／Ｄ変換部を備え、
前記ＤＳＰは、前記Ａ／Ｄ変換部からのデジタル信号を元に、前記選局、検波及びステレオ復調を行う
ことを特徴とする請求項１に記載の情報提供装置。
【請求項３】
前記受信部が受信した電波を復調する復調回路を備え、
前記ＤＳＰは、前記復調回路からの信号を元に、前記選局、検波及びステレオ復調を行う
ことを特徴とする請求項１に記載の情報提供装置。
【請求項４】
複数の地域情報とそれぞれの地域情報に紐付けされたキーワードとを管理する地域情報管理テーブルを備え、
前記地域情報取得部は、前記認識データに含まれる文字列からキーワードを抽出し、この抽出したキーワードと前記地域情報管理テーブルのキーワードとを比較し、一致又は類似していれば、前記文字列のデータを出力する
ことを特徴とする請求項１〜３のいずれかに記載の情報提供装置。
【請求項５】
受信部により、ラジオ放送の電波を受信する工程と、
ＤＳＰにより、前記受信部が受信した信号を元に、選局、検波及びステレオ復調を行う工程と、
Ｄ／Ａ変換部により、前記ＤＳＰからのステレオ復調されたデジタル信号をアナログの音声信号に変換する工程と、
音声認識部により、前記Ｄ／Ａ変換部からの音声信号に基づき、音声認識を行う工程と、
地域情報取得部により、前記音声認識部からの認識データに含まれる地域情報を取得する工程と、
表示部により、前記地域情報取得部が取得した地域情報を表示する工程とを、情報提供装置を制御するコンピューターに実行させる
ことを特徴とする情報提供プログラム。
【請求項６】
前記地域情報取得部は、前記認識データに含まれる文字列からキーワードを抽出し、この抽出したキーワードと地域情報管理テーブルの複数の地域情報のそれぞれに紐付けされたキーワードとを比較し、一致又は類似していれば、前記文字列のデータを出力する工程を有することを特徴とする請求項５に記載の情報提供プログラム。
【発明の詳細な説明】
【技術分野】
【０００１】
本発明は、ラジオ放送の音声信号に含まれる情報をユーザーに提供する情報提供装置及び情報提供プログラムに関する。
【背景技術】
【０００２】
自動車に搭載される情報提供装置の一つとして、運転者に道順案内などを支援するカーナビゲーションシステムがある。カーナビゲーションシステムは、地図データや施設情報のデータなどを内蔵しており、目的地や現在地周辺の施設などの情報を用い、地図上に表示することができる。また、走行中にＧＰＳ（Ｇｌｏｂａｌ  Ｐｏｓｉｔｉｏｎｉｎｇ  Ｓｙｓｔｅｍ  ）などで現在位置を自動的に割り出し、カーナビゲーションシステムに記録された地図と照らし合わせて、画面上の地図に経路を表示したり音声などで道案内を行ったりする。
【０００３】
また、近年では、カーナビゲーションシステムにより、無線通信によって取得した様々な情報を表示したりする技術も提案されている。
【０００４】
その一つとして、特許文献１に示されているナビゲーション情報を提供するシステムが知られている。このシステムは、携帯電話などの携帯端末によって取得したウェブサイトなどからの現在位置などに関連する情報を表示部に表示させるものである。
【先行技術文献】
【特許文献】
【０００５】
【特許文献１】米国特許第６６３３８０９号明細書
【発明の概要】
【発明が解決しようとする課題】
【０００６】
上述した特許文献１でのシステムでは、携帯端末によって取得した情報を表示部に表示させるので、予め内蔵されている情報以外のリアルタイム情報などをユーザーに提供することができる。
【０００７】
ところが、このシステムでは、携帯端末によってウェブサイトなどにアクセスする必要があるばかりか、現在位置などに関連する情報（地域情報など）を携帯端末の画面上で選択する必要があるので、情報の取得操作が煩わしいという問題があった。
【０００８】
本発明は、このような状況に鑑みてなされたものであり、上記問題点を解消することができる情報提供装置及び情報提供プログラムを提供することを目的とする。
【課題を解決するための手段】
【０００９】
本発明の情報提供装置は、ラジオ放送の電波を受信する受信部と、前記受信部が受信した信号を元に、選局、検波及びステレオ復調を行うＤＳＰと、前記ＤＳＰからのステレオ復調されたデジタル信号をアナログの音声信号に変換するＤ／Ａ変換部と、前記Ｄ／Ａ変換部からの音声信号に基づき、音声認識を行う音声認識部と、前記音声認識部からの認識データに含まれる地域情報を取得する地域情報取得部と、前記地域情報取得部が取得した地域情報を表示する表示部とを備えることを特徴とする。
また、前記受信部が受信した電波をデジタル信号に変換するＡ／Ｄ変換部を備え、前記ＤＳＰは、前記Ａ／Ｄ変換部からのデジタル信号を元に、前記選局、検波及びステレオ復調を行うことを特徴とする。
また、前記受信部が受信した電波を復調する復調回路を備え、前記ＤＳＰは、前記復調回路からの信号を元に、前記選局、検波及びステレオ復調を行うことを特徴とする。
また、複数の地域情報とそれぞれの地域情報に紐付けされたキーワードとを管理する地域情報管理テーブルを備え、前記地域情報取得部は、前記認識データに含まれる文字列からキーワードを抽出し、この抽出したキーワードと前記地域情報管理テーブルのキーワードとを比較し、一致又は類似していれば、前記文字列のデータを出力することを特徴とする。
本発明の情報提供プログラムは、受信部により、ラジオ放送の電波を受信する工程と、ＤＳＰにより、前記受信部が受信した信号を元に、選局、検波及びステレオ復調を行う工程と、Ｄ／Ａ変換部により、前記ＤＳＰからのステレオ復調されたデジタル信号をアナログの音声信号に変換する工程と、音声認識部により、前記Ｄ／Ａ変換部からの音声信号に基づき、音声認識を行う工程と、地域情報取得部により、前記音声認識部からの認識データに含まれる地域情報を取得する工程と、表示部により、前記地域情報取得部が取得した地域情報を表示する工程とを、情報提供装置を制御するコンピューターに実行させることを特徴とする。
また、前記地域情報取得部は、前記認識データに含まれる文字列からキーワードを抽出し、この抽出したキーワードと地域情報管理テーブルの複数の地域情報のそれぞれに紐付けされたキーワードとを比較し、一致又は類似していれば、前記文字列のデータを出力する工程を有することを特徴とする。
本発明の情報提供装置及び情報提供プログラムでは、受信部がラジオ放送の電波を受信すると、ＤＳＰが受信部が受信した信号を元に、選局、検波及びステレオ復調を行う。また、Ｄ／Ａ変換部がＤＳＰからのステレオ復調されたデジタル信号をアナログの音声信号に変換すると、音声認識部がＤ／Ａ変換部からの音声信号に基づき、音声認識を行う。また、地域情報取得部が音声認識部からの認識データに含まれる地域情報を取得すると、表示部が地域情報取得部が取得した地域情報を表示する。
すなわち、ラジオ放送の音声信号を元に音声認識部が音声認識を行い、地域情報取得部が音声認識部からの認識データに含まれている地域情報を取得すると、表示部が地域情報を表示するので、地域情報の取得を自動的に行わせることができる。
【発明の効果】
【００１０】
本発明の情報提供装置及び情報提供プログラムによれば、地域情報の取得を自動的に行わせるようにしたので、地域情報の取得操作を省くことができる。
【図面の簡単な説明】
【００１１】
【図１】本発明の情報提供装置の一実施形態を説明するための図である。
【図２】図１の情報提供装置の構成を示す図である。
【図３】図２の地域情報取得部が参照する地域情報管理テーブルを示す図である。
【図４】図１の情報提供装置の表示部に表示される地域情報を説明するものであって、図４（ａ）は地域のニュースに関する地域情報が表示される場合を示す図であり、図４（ｂ）はお店の情報に関する地域情報が表示される場合を示す図であり、図４（ｃ）はお役立ち情報に関する地域情報が表示される場合を示す図である。
【図５】図１の情報提供装置による情報取得方法について説明するためのフローチャートである。
【発明を実施するための形態】
【００１２】
以下、本発明の情報提供装置の一実施形態を、図１〜図５を参照しながら説明する。なお、以下の説明においての情報提供装置は、たとえばＦＭラジオ放送の電波を受信するものであり、たとえば車両に搭載されているものを想定している。また、情報提供装置は、特に、たとえば地域に密着した情報を提供するコミュニティ放送局（ＦＭ放送局）からの電波を受信し、音声信号に含まれる情報を表示させる点に特徴がある。ここで、コミュニティ放送局は、放送エリアが同一市町村内に限定され、地域の特色を生かした番組などを通じて地域のきめ細かな情報を発信する。そのため、車両の移動中に、情報提供装置により、現在位置に関連する様々な情報を取得することができる。
【００１３】
まず、図１に示すように、車両１０には、アンテナ１０１と装置本体１１０とを有する情報提供装置１００が搭載されている。また、情報提供装置１００は、車両１０の移動に伴い、同一市町村内に設置されている、それぞれのコミュニティ放送局Ａ〜Ｃの放送エリアＡ−１〜Ｃ−１内でコミュニティ放送の電波を受信する。そして、情報提供装置１００は、詳細は後述するが、後述の表示部１１８に、コミュニティ放送の音声信号に含まれる、後述の地域情報１１７ａを表示する。
【００１４】
次に、図２〜図４を参照し、情報提供装置１００の構成について説明する。情報提供装置１００は、上述したように、アンテナ１０１と装置本体１１０とを有する。なお、アンテナ１０１については、単一のものに限らず、複数のダイバーシティアンテナとしてもよい。
【００１５】
装置本体１１０は、受信部１１１、Ａ／Ｄ（Ａｎａｌｏｇ−ｔｏ−Ｄｉｇｉｔａｌ）変換部１１２、ＤＳＰ（Ｄｉｇｉｔａｌ  Ｓｉｇｎａｌ  Ｐｒｏｃｅｓｓｏｒ）１１３、Ｄ／Ａ変換部１１４、音声認識部１１５、地域情報管理テーブル１１６、地域情報取得部１１７、表示部１１８を備えている。なお、各部の連係動作は、メイン制御部１１９によって制御される。
【００１６】
受信部１１１は、コミュニティ放送局Ａ〜Ｃの放送エリアＡ−１〜Ｃ−１にて、コミュニティ放送の電波を受信する。Ａ／Ｄ変換部１１２は、受信部１１１が受信したアナログ信号をデジタル信号に変換する。ＤＳＰ１１３は、Ａ／Ｄ変換部１１２が変換したデジタル信号を元に、デジタル処理によって選局、検波、ステレオ復調の全てを行う。なお、選局については、図示しないＴＵＮＥスイッチ又はＳＥＥＫスイッチの操作に従って行う。
【００１７】
ちなみに、ＴＵＮＥスイッチは、１ステップずつ周波数を変えて、たとえばコミュニティ放送局Ａ〜Ｃのいずれかを選択する際に操作するものである。ＳＥＥＫスイッチは、自動的に感度の良い、たとえばコミュニティ放送局Ａ〜Ｃのいずれかを選択する際に操作するものである。
【００１８】
Ｄ／Ａ変換部１１４は、ＤＳＰ１１３がステレオ復調したデジタル信号をアナログ信号に変換し、音声信号を出力（音声出力）する。この音声信号は、図示しないスピーカーに出力される。音声認識部１１５は、Ｄ／Ａ変換部１１４が変換した音声信号に基づき、音声認識を行い、音声認識の結果を認識データとして出力する。なお、音声認識は、周知の通り、音声波形とサンプルデートとの比較によるパターン認識によって行われる。
【００１９】
地域情報管理テーブル１１６は、たとえば図３に示すように、地域情報の種別１１６Ａとキーワードの種別１１６Ｂとを管理する。ちなみに、地域情報の種別１１６Ａには、たとえば地域のニュース１１６ａ、お店の情報１１６ｂ、お役立ち情報１１６ｃ、グルメ情報１１６ｄ、イベント情報１１６ｅ、習いごと情報１１６ｆ、街の求人情報１１６ｇ、施設情報１１６ｈ、地域案内情報１１６ｉ、観光情報１１６ｊなどが含まれている。また、キーワードの種別１１６Ｂには、これらの地域のニュース１１６ａ、お店の情報１１６ｂ、お役立ち情報１１６ｃ、グルメ情報１１６ｄ、イベント情報１１６ｅ、習いごと情報１１６ｆ、街の求人情報１１６ｇ、施設情報１１６ｈ、地域案内情報１１６ｉ、観光情報１１６ｊなどに紐付けされた複数のキーワード１１６ｋ〜１１６ｔが含まれている。
【００２０】
地域情報取得部１１７は、地域情報管理テーブル１１６を参照し、音声認識部１１５からの認識データに含まれる後述の地域情報１１７ａを取得し、表示部１１８に出力する。すなわち、地域情報取得部１１７は、たとえば音声認識部１１５からの認識データに含まれる文字列からキーワード１１６ｋ〜１１６ｔを抽出する。そして、地域情報取得部１１７は、抽出したキーワード１１６ｋ〜１１６ｔと地域情報管理テーブル１１６のキーワード１１６ｋ〜１１６ｔとを比較し、一致又は類似していれば、該当する地域情報の種別１１６Ａのいずれかであるかを確認できる。この場合、地域情報取得部１１７は、認識データに含まれる文字列が後述の地域情報１１７ａであると確認すると、認識データに含まれる文字列のデータを出力する。また、地域情報取得部１１７は、詳細は後述するが、抽出したキーワード１１６ｋ〜１１６ｔと一致又は類似している地域情報管理テーブル１１６の地域情報の種別１１６Ａのいずれかの文字列のデータも出力する。
【００２１】
ここで、たとえばコミュニティ放送は、アナウンサーが地域に密着した様々な話題を電波に乗せて提供する。また、話題の合間に音楽なども提供する。このため、音声認識部１１５からの認識データには、地域情報以外の様々な情報も含まれる。そこで、音声認識部１１５からの認識データの中から、地域に関する情報を取得するために、地域情報管理テーブル１１６を参照することで、認識データに含まれる文字列が地域情報１１７ａであるかどうかを確認できる。
【００２２】
表示部１１８は、地域情報取得部１１７が取得した後述の地域情報１１７ａを表示する。なお、表示部１１８は、図示しないカーナビゲーションシステムの表示部を共有するものであってもよい。この場合、カーナビゲーションシステムの表示部に表示される地図情報に地域情報１１７ａを重ねて表示させることができる。
【００２３】
ここで、表示部１１８には、たとえば図４に示すように、地域情報１１７ａを表示させることができる。図４（ａ）は、地域情報管理テーブル１１６の地域情報の種別１１６Ａのうち、地域のニュース１１６ａを表題とした場合を示している。すなわち、地域情報取得部１１７が認識データに含まれる文字列から抽出したキーワード１１６ｋ〜１１６ｔが地域情報管理テーブル１１６の地域情報の種別１１６Ａの地域のニュース１１６ａに一致又は類似した場合である。この場合、表題を、地域情報管理テーブル１１６の地域情報の種別１１６Ａの地域のニュース１１６ａとし、表題の下方に、アナウンサーが発した地域のニュースに関する地域情報１１７ａを表示させることができる。
【００２４】
なお、表題は、上述したように、地域情報取得部１１７からの、抽出したキーワード１１６ｋ〜１１６ｔと一致又は類似している地域情報管理テーブル１１６の地域情報の種別１１６Ａのいずれかの文字列のデータである。また、表題の下方に表示される地域情報１１７ａは、上述したように、地域情報取得部１１７が音声認識部１１５からの認識データに含まれる文字列からキーワード１１６ｋ〜１１６ｔを抽出した際の文字列のデータである。
【００２５】
また、図４（ｂ）は、地域情報管理テーブル１１６の地域情報の種別１１６Ａのうち、お店の情報１１６ｂを表題とした場合を示している。すなわち、地域情報取得部１１７が認識データに含まれる文字列から抽出したキーワード１１６ｋ〜１１６ｔが地域情報管理テーブル１１６の地域情報の種別１１６Ａのお店の情報１１６ｂに一致又は類似した場合である。この場合、表題を、地域情報管理テーブル１１６の地域情報の種別１１６Ａのお店の情報１１６ｂとし、表題の下方に、アナウンサーが発したお店に関する地域情報１１７ａを表示させることができる。
【００２６】
メイン制御部１１９は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等を有するプロセッサーである。
【００２７】
また、図４（ｃ）は、地域情報管理テーブル１１６の地域情報の種別１１６Ａのうち、お役立ち情報１１６ｃを表題とした場合を示している。すなわち、地域情報取得部１１７が認識データに含まれる文字列から抽出したキーワード１１６ｋ〜１１６ｔが地域情報管理テーブル１１６の地域情報の種別１１６Ａのお役立ち情報１１６ｃに一致又は類似した場合である。この場合、表題を、地域情報管理テーブル１１６の地域情報の種別１１６Ａのお役立ち情報１１６ｃとし、表題の下方に、アナウンサーが発したお役立ちに関する地域情報１１７ａを表示させることができる。なお、表題については、任意に設定することも可能である。この場合、地域情報管理テーブル１１６の地域情報の種別１１６Ａのそれぞれの項目を変更すればよい。
【００２８】
次に、図５を参照し、情報提供装置１００による情報取得方法について説明する。なお、以下の説明においては、車両１０がいずれかのコミュニティ放送局Ａ〜Ｃの放送エリアＡ−１〜Ｃ−１を通過するものとする。このとき、情報提供装置１００がそれぞれの放送エリアＡ−１〜Ｃ−１にてコミュニティ放送のアナログ信号の電波を受信することで、地域情報１１７ａを取得する。また、各部の連係動作は、メイン制御部１１９による制御によって実行される。
【００２９】
（ステップＳ１０１）
メイン制御部１１９は、受信部１１１がいずれかのコミュニティ放送局Ａ〜Ｃの放送エリアＡ−１〜Ｃ−１にてコミュニティ放送のアナログ信号の電波を受信したかどうかを判断する。メイン制御部１１９は、電波を受信していなければ受信待ちとなり（ステップＳ１０１：Ｎｏ）、電波を受信していれば（ステップＳ１０１：Ｙｅｓ）、ステップＳ１０２に移行する。
【００３０】
（ステップＳ１０２）
メイン制御部１１９は、Ａ／Ｄ変換部１１２に対し、受信部１１１が受信した信号をデジタル信号に変換させる。
【００３１】
（ステップＳ１０３）
メイン制御部１１９は、ＤＳＰ１１３に対し、選局を行わせる。この場合、ＤＳＰ１１３は、たとえば上述した図示しないＴＵＮＥスイッチ又はＳＥＥＫスイッチの操作に従って選局を行う。
メイン制御部１１９は、ＤＳＰ１１３による選局待ちとなり（ステップＳ１０３：Ｎｏ）、ＤＳＰ１１３による選局ができたと判断すると（ステップＳ１０３：Ｙｅｓ）、ステップＳ１０４に移行する。
【００３２】
（ステップＳ１０４）
メイン制御部１１９は、ＤＳＰ１１３に対し、検波を行わせる。この場合、ＤＳＰ１１３は、選局したデジタル信号に対し検波を行う。
メイン制御部１１９は、ＤＳＰ１１３による検波待ちとなり（ステップＳ１０４：Ｎｏ）、ＤＳＰ１１３による検波ができたと判断すると（ステップＳ１０４：Ｙｅｓ）、ステップＳ１０５に移行する。
【００３３】
（ステップＳ１０５）
メイン制御部１１９は、ＤＳＰ１１３に対し、ステレオ復調を行わせる。この場合、ＤＳＰ１１３は、検波したデジタル信号に対しステレオ復調を行う。
メイン制御部１１９は、ＤＳＰ１１３によるステレオ復調待ちとなり（ステップＳ１０５：Ｎｏ）、ＤＳＰ１１３によるステレオ復調ができたと判断すると（ステップＳ１０５：Ｙｅｓ）、ステップＳ１０６に移行する。
【００３４】
（ステップＳ１０６）
メイン制御部１１９は、Ｄ／Ａ変換部１１４に対し、ＤＳＰ１１３がステレオ復調した音声信号をアナログ信号に変換させる。このアナログ信号は図示しないスピーカーに出力される。
【００３５】
（ステップＳ１０７）
メイン制御部１１９は、音声認識部１１５に対し、音声認識による認識データを出力させる。
この場合、音声認識部１１５は、Ｄ／Ａ変換部１１４が変換した音声信号に基づき、音声認識を行い、音声認識の結果を認識データとして出力する。なお、音声認識は、周知の通り、音声波形とサンプルデートとの比較によるパターン認識によって行われる。
【００３６】
（ステップＳ１０８）
メイン制御部１１９は、地域情報取得部１１７に対し、地域情報１１７ａを取得させる。
この場合、地域情報取得部１１７は、上述したように、音声認識部１１５からの認識データに含まれる文字列からキーワード１１６ｋ〜１１６ｔを抽出する。次いで、地域情報取得部１１７は、地域情報管理テーブル１１６を参照し、抽出したキーワード１１６ｋ〜１１６ｔが地域情報管理テーブル１１６のキーワード１１６ｋ〜１１６ｔと一致又は類似しているかを確認する。そして、地域情報取得部１１７は、抽出したキーワード１１６ｋ〜１１６ｔが地域情報管理テーブル１１６のキーワード１１６ｋ〜１１６ｔと一致又は類似していれば、該当する地域情報の種別１１６Ａのいずれかであることを確認できる。
この場合、地域情報取得部１１７は、認識データに含まれる文字列が地域情報１１７ａであると確認すると、認識データに含まれる文字列のデータを出力する。また、地域情報取得部１１７は、抽出したキーワード１１６ｋ〜１１６ｔと一致又は類似している地域情報管理テーブル１１６の地域情報の種別１１６Ａのいずれかの文字列のデータも出力する。
【００３７】
（ステップＳ１０９）
メイン制御部１１９は、地域情報取得部１１７が地域情報１１７ａを取得できるまで待ち（ステップＳ１０９：Ｎｏ）、地域情報取得部１１７が地域情報１１７ａを取得できたと判断すると（ステップＳ１０９：Ｙｅｓ）、ステップＳ１１０に移行する。
【００３８】
（ステップＳ１１０）
メイン制御部１１９は、地域情報取得部１１７が地域情報１１７ａを取得できた場合、地域情報取得部１１７が取得した地域情報１１７ａを表示部１１８に表示させる。
これにより、地域情報取得部１１７が取得した地域情報１１７ａが地域のニュース１１６ａである場合、たとえば図４（ａ）で説明したように、表示部１１８に、表題とした地域のニュース１１６ａと、アナウンサーが発した地域のニュースに関する地域情報１１７ａとを表示させることができる。
また、地域情報取得部１１７が取得した地域情報１１７ａがお店の情報１１６ｂである場合、たとえば図４（ｂ）で説明したように、表示部１１８に、表題としたお店の情報１１６ｂと、アナウンサーが発したお店に関する地域情報１１７ａとを表示させることができる。
また、地域情報取得部１１７が取得した地域情報１１７ａがお役立ち情報１１６ｃである場合、たとえば図４（ｃ）で説明したように、表示部１１８に、表題としたお役立ち情報１１６ｃと、アナウンサーが発したお役立ちに関する地域情報１１７ａとを表示させることができる。
なお、地域情報１１７ａは、特定時間だけ表示部１１８に表示されるようにしてもよい。また、アナウンサーが発する話題にもよるが、地域情報１１７ａが連続して取得されることもある。この場合は、メイン制御部１１９は、表示部１１８に対し、取得順に、地域情報１１７ａを表示させてもよい。また、メイン制御部１１９は、表示部１１８に対し、特定の数の地域情報１１７ａをまとめて、順次表示させてもよい。
【００３９】
このように、本実施形態では、受信部１１１がラジオ放送の電波を受信すると、ＤＳＰ１１３が受信部１１１が受信した信号を元に、選局、検波及びステレオ復調を行う。また、Ｄ／Ａ変換部１１４がＤＳＰ１１３からのステレオ復調されたデジタル信号をアナログの音声信号に変換すると、音声認識部１１５がＤ／Ａ変換部１１４からの音声信号に基づき、音声認識を行う。また、地域情報取得部１１７が地域情報管理テーブル１１６を参照し、音声認識部１１５からの認識データに含まれる地域情報１１７ａを取得すると、表示部１１８が地域情報取得部１１７の取得した地域情報１１７ａを表示する。
【００４０】
すなわち、ラジオ放送の音声信号を元に音声認識部１１５が音声認識を行い、地域情報取得部１１７が音声認識部１１５からの認識データに含まれている地域情報１１７ａを取得すると、表示部１１８が地域情報１１７ａを表示するので、地域情報１１７ａの取得を自動的に行わせることができ、地域情報１１７ａの取得操作を省くことができる。
【００４１】
また、地域情報１１７ａの取得が自動的に行われるので、乗員が運転手のみであっても、運転中での地域情報１１７ａの取得が可能となる。
【００４２】
また、地域情報１１７ａはアナウンサーが発した内容から取得されるので、最新の情報を取得できる。
【００４３】
なお、図２に示した情報提供装置１００は、データ放送を受信する構成となっていないが、ＤＳＰ１１３の前段にデータを復調する復調回路などを設けてもよい。この場合、ＲＤＳ（Ｒａｄｉｏ  Ｄａｔａ  Ｓｙｓｔｅｍ）放送やデータ多重放送などによる音声信号を元に、地域情報１１７ａを取得できる。また、これらのデータ放送に含まれる放送局を示す情報（周波数など）を取得することで、自動選局を行うことが可能となる。
【００４４】
また、本実施形態での情報提供装置１００は、たとえば車両に搭載されているものとして説明したが、この例に限らず、ポータブル型のラジオであってもよいし、スマートホンなどの携帯端末であってもよい。
【符号の説明】
【００４５】
１０  車両
１００  情報提供装置
１０１  アンテナ
１１０  装置本体
１１１  受信部
１１２  Ａ／Ｄ変換部
１１３  ＤＳＰ
１１４  Ｄ／Ａ変換部
１１５  音声認識部
１１６  地域情報管理テーブル
１１６Ａ  地域情報の種別
１１６Ｂ  キーワードの種別
１１６ａ  地域のニュース
１１６ｂ  お店の情報
１１６ｃ  お役立ち情報
１１６ｄ  グルメ情報
１１６ｅ  イベント情報
１１６ｆ  習いごと情報
１１６ｇ  街の求人情報
１１６ｈ  施設情報
１１６ｉ  地域案内情報
１１６ｊ  観光情報
１１６ｋ〜１１６ｔ  キーワード
１１７  地域情報取得部
１１７ａ  地域情報
１１８  表示部
１１９  メイン制御部
Ａ〜Ｃ  コミュニティ放送局
Ａ−１〜Ｃ−１  放送エリア
【図１】
2017079436.tif 000003
【図２】
2017079436.tif 000004
【図３】
2017079436.tif 000005
【図４】
2017079436.tif 000006
【図５】
2017079436.tif 000007